(57)【特許請求の範囲】
【請求項１】
液晶パネルと、
前記液晶パネルの表示面を覆うように、前記液晶パネルの表示面側に設けられたカバーと、
前記カバーの少なくとも一方の側に設けられた反射防止膜とを有してなり、
前記カバーの両端部は前記液晶パネルから張り出しており、且つ、前記カバーの両端部には、該カバーの外側に向けて厚みが薄くなるように傾斜面が形成されていることを特徴とする電子機器。
【請求項２】
前記反射防止膜は、少なくとも２層以上積層された薄膜からなり、相隣接する層相互間で屈折率が互いに異なることを特徴とする請求項１に記載の電子機器。
【請求項３】
前記液晶パネルは、一対の基板間に液晶が狭持されてなり、前記一対の基板の一方の基板に、前記一対の基板の他方の基板側から入射する光を前記他方の基板側に反射させる光反射手段を有することを特徴とする請求項１または請求項２に記載の電子機器。
【請求項４】
前記カバーの液晶パネルが設けられた側と反対側から入射する光の波長をλとし、
500nm以上から600nm以下の範囲の波長から任意に選択した波長をφとし、
前記カバーの波長λの光に対する透過率をＴ（λ）とし、
前記液晶パネルの波長λの光に対する反射率をＲ（λ）とした場合に、
前記カバーの透過率Ｔ（λ）が、
0.7≦{ Ｔ（λ）2×Ｒ（λ）}／{ Ｔ2（φ）×Ｒ（φ）}≦1.3（但し、450nm≦λ≦650nm）なる関係をみたすことを特徴とする請求項３に記載の電子機器。
【請求項５】
液晶パネルと、
前記液晶パネルの表示面を覆うように、前記液晶パネルの表示面側に設けられたカバーと、
前記カバーの少なくとも一方の側に設けられた反射防止膜とを有してなり、
前記カバーの両端部は前記液晶パネルから張り出しており、且つ、前記カバーの両端部には、該カバーの外側に向けて厚みが薄くなるように傾斜面が形成されていることを特徴とする液晶表示装置。
【請求項６】
前記反射防止膜は、少なくとも２層以上積層された薄膜からなり、相隣接する層相互間で屈折率が互いに異なることを特徴とする請求項５に記載の液晶表示装置。
【請求項７】
前記液晶パネルは、一対の基板間に液晶が狭持されてなり、前記一対の基板の一方の基板に、前記一対の基板の他方の基板側から入射する光を前記他方の基板側に反射させる光反射手段を有することを特徴とする請求項５または請求項６に記載の液晶表示装置。
【請求項８】
前記カバーの液晶パネルが設けられた側と反対側から入射する光の波長をλとし、
500nm以上から600nm以下の範囲の波長から任意に選択した波長をφとし、
前記カバーの波長λの光に対する透過率をＴ（λ）とし、
前記液晶パネルの波長λの光に対する反射率をＲ（λ）とした場合に、
前記カバーの透過率Ｔ（λ）が、
0.7≦{ Ｔ（λ）2×Ｒ（λ）}／{ Ｔ2（φ）×Ｒ（φ）}≦1.3（但し、450nm≦λ≦650nm）なる関係をみたすことを特徴とする請求項７に記載の液晶表示装置。
【発明の詳細な説明】
【０００１】
【発明の属する技術分野】
本発明は、カバーにより保護される液晶パネルを備えた電子機器及び液晶表示装置に関する。
【０００２】
【従来の技術】
携帯電話に代表される携帯用電子機器には、各種の情報をユーザに示すための表示装置が設けられるのが一般的である。この種の表示装置としては、液晶パネルが広く用いられている。特に、液晶パネルの中でも消費電力が極めて小さい反射型の液晶パネルが広く用いられている。ただし、反射型液晶パネルは、外光を利用して表示を視認するため、暗い場所では表示を読み取ることができないという欠点がある。これを考慮した表示装置として、明るい場所では通常の反射型液晶パネルと同様に外光を利用するが、暗い場所では内部光源によって表示を視認可能とする、いわゆる半透過反射型の液晶パネルが提案されている。
【０００３】
ところで、携帯用電子機器には、液晶パネルの外圧による損傷や、液晶パネルへの水分等の侵入などを防止するために、通常、透明プラスチック製のカバーが液晶パネルの表示部全体を覆うように設けられている。
【０００４】
【発明が解決しようとする課題】
しかしながら、一般的にこのカバーの透過率は低く、液晶パネルの視認性を大きく阻害しているという問題があった。特に、反射型液晶パネルまたは半透過反射型液晶パネルが反射型として用いられるときには、このカバーによって液晶パネルの表示が暗くなってしまう点が顕著に現れた。
【０００５】
本発明の目的は、液晶パネルに設けられる保護カバーの透過率を上げることによって、明るく視認性の良い表示が得られる液晶パネルを備えた電子機器及び液晶表示装置を提供することにある。
【０００６】
【課題を解決するための手段】
本発明の電子機器は、液晶パネルと、前記液晶パネルの表示面を覆うように、前記液晶パネルの表示面側に設けられたカバーと、前記カバーの少なくとも一方の側に設けられた反射防止膜とを有してなり、前記カバーの両端部は前記液晶パネルから張り出しており、且つ、前記カバーの両端部には、該カバーの外側に向けて厚みが薄くなるように傾斜面が形成されていることを特徴とする。かかる構成によりカバーの少なくとも一方の面に表面反射を防止するための反射防止膜が設けられているので、カバーの表面反射が減り、透過率が高くなる。これにより、明るく視認性の良い表示が得られることになる。
【０００７】
また、前記反射防止膜は、少なくとも２層以上積層された薄膜からなり、相隣接する層相互間で屈折率が互いに異なるようにすることが望ましい。かかる構成によりさらにカバーでの表面反射を低減させて、透過率を高くすることが可能となる。
【０００８】
また、前記液晶パネルは、一対の基板間に液晶が狭持されてなり、前記一対の基板の一方の基板に、前記一対の基板の他方の基板側から入射する光を前記他方の基板側に反射させる光反射手段を有する液晶パネルであってもよい。かかる構成により液晶パネルを反射型として用いることができるので、外光を利用して表示を視認でき、電子機器の消費電力を極めて小さく抑えることができる。
【０００９】
またこのときに、前記カバーの液晶パネルが設けられた側と反対側から入射する光の波長をλとし、500nm以上から600nm以下の範囲の波長から任意に選択した波長をφとし、前記カバーの波長λの光に対する透過率をＴ（λ）とし、前記液晶パネルの波長λの光に対する反射率をＲ（λ）とした場合に、前記カバーの透過率Ｔ（λ）が、0.7≦{ Ｔ（λ）2×Ｒ（λ）}／{ Ｔ2（φ）×Ｒ（φ）}≦1.3（但し、450nm≦λ≦650nm）なる関係をみたすことが望ましい。
【００１０】
ここで、本発明の電子機器において、液晶パネルを反射型として用いた場合に、波長λの入射光は、カバーを通過した後、液晶パネルの半透過反射板で反射して、再びカバーを通過して出射する。つまり、上述の経路を通過するときのカバーと液晶パネルを合わせた透過率は｛Ｔ2（λ）×Ｒ（λ）｝となる。即ち、｛Ｔ2（λ）×Ｒ（λ）｝は、反射型の入射光量に対する出射光量の比を意味するので、カバーからの出射光量は、カバーへの入射光量に透過率｛Ｔ2（λ）×Ｒ（λ）｝を掛けたものになる。
【００１１】
ところで、液晶パネルの白表示の際に色が混色するのを抑えるためには、視認者の視感度が最も高くなる範囲の波長（500nm〜600nm）から任意の波長φを選択し、そのときの出射光量を基準として各波長における出射光量の設定を行うと、視認者にとって表示が見やすいものとなる。
【００１２】
したがって、{Ｔ2（λ）×Ｒ（λ）}／{Ｔ2（φ）×Ｒ（φ）}は、反射型液晶パネルにおいて、波長λに対する反射型の入射光量に対する出射光量の比を、波長φにおける入射光量に対する出射光量の比で、正規化（基準化）した値である。この値は波長φでの出射光量を基準として、各波長毎の出射光量を基準に対する相対値として考えたものである。この値が、450nm≦λ≦650nmの範囲にわたって、0.7以上1.3以下であれば、反射型液晶パネルにおいて、カバーを透かして液晶パネルを見たときに、液晶パネルの白表示が良好な白色となることを意味する。
【００１３】
本発明の液晶表示装置は、液晶パネルと、前記液晶パネルの表示面を覆うように、前記液晶パネルの表示面側に設けられたカバーと、前記カバーの少なくとも一方の側に設けられた反射防止膜とを有してなり、前記カバーの両端部は前記液晶パネルから張り出しており、且つ、前記カバーの両端部には、該カバーの外側に向けて厚みが薄くなるように傾斜面が形成されていることを特徴とする。かかる構成によりカバーの少なくとも一方の面に表面反射を防止するための反射防止膜が設けられているので、カバーの表面反射が減り、透過率が高くなる。これにより、明るく視認性の良い表示が得られることになる。
【００１４】
また、前記反射防止膜は、少なくとも２層以上積層された薄膜からなり、相隣接する層相互間で屈折率が互いに異なるようにすることが望ましい。かかる構成によりさらにカバーでの表面反射を低減させて、透過率を高くすることが可能となる。
【００１５】
また、前記液晶パネルは、一対の基板間に液晶が狭持されてなり、前記一対の基板の一方の基板に、前記一対の基板の他方の基板側から入射する光を前記他方の基板側に反射させる光反射手段を有する液晶パネルであってもよい。かかる構成により液晶パネルを反射型として用いることができるので、外光を利用して表示を視認でき、液晶表示装置の消費電力を極めて小さく抑えることができる。
【００１６】
またこのときに、前記カバーの液晶パネルが設けられた側と反対側から入射する光の波長をλとし、500nm以上から600nm以下の範囲の波長から任意に選択した波長をφとし、前記カバーの波長λの光に対する透過率をＴ（λ）とし、前記液晶パネルの波長λの光に対する反射率をＲ（λ）とした場合に、前記カバーの透過率Ｔ（λ）が、0.7≦{ Ｔ（λ）2×Ｒ（λ）}／{ Ｔ2（φ）×Ｒ（φ）}≦1.3（但し、450nm≦λ≦650nm）なる関係をみたすことが望ましい。かかる構成により、この値が、450nm≦λ≦650nmの範囲にわたって、0.7以上1.3以下であれば、反射型液晶パネルにおいて、カバーを透かして液晶パネルを見たときに、液晶パネルの白表示が良好な白色となることを意味する。
【００１７】
【発明の実施の形態】
まず、本発明の原理について図１および図２を参照して説明する。図１は、本発明に係る電子機器の要部構造を説明するための図である。この図において、カバー１は、液晶パネル１０の保護を目的として、液晶パネル１０の表示面側（図１の上側）の上部に、液晶パネル１０の表示面の表示部全体を覆うように設けられるものである。このカバー１は、アクリル樹脂や、ポリカーボネート、ポリオレフィンなどのプラスチックを基材とした剛体である。このカバー１は必要に応じてハードコート処理されて、その表面には、次に説明する薄膜が形成されている。すなわち、図２に示されるように、カバー１の表面には屈折率の互いに異なる薄膜２、３が設けられて、入射光５に対して薄膜２の表面反射光６と薄膜３の表面反射光７とが互いに干渉して打ち消されるように設定される。これにより、カバー１の空気との界面における反射が防止されることになる。そこで説明便宜のために、以降は、薄膜２、３のことを反射防止膜と呼ぶことにする。
【００１８】
なお、反射防止膜２、３が設けられたカバー１は波長依存性があるので、実際には後述する実施形態で説明するように、カバー１に入射する光５の波長を考慮した膜厚で、反射防止膜２、３をカバー１の表面にそれぞれ設ける必要がある。
【００１９】
さて、反射防止膜２、３をカバー１の表面に形成する被膜化方法としては、真空蒸着法や、イオンプレーティング法、スパッタリング法等が挙げられる。真空蒸着法においては、蒸着中にイオンビームを同時に照射するイオンビームアシスト法を用いてもよい。なお、膜構成としては、単層反射防止膜もしくは多層反射防止膜のどちらを用いてもかまわない。多層反射防止膜を用いる場合には、屈折率が互いに隣接する層相互間で異なる薄膜を少なくとも２層以上積層する構成が望ましい。また、反射防止膜２、３に使用される無機物の具体例としては、SiO2、SiO、ZrO2、TiO2、TiO、Ti2O3、Ti2O5、Al2O3、Ta2O5、CeO2、MgO、Y2O3、SnO2、MgF2、WO3などが挙げられる。これらの無機物は単独で用いられるか、または２種以上の混合物として用いられる。
【００２０】
くわえて、カバー１に反射防止膜２、３を形成する際には、ハードコート膜の表面処理を行うことが望ましい。この表面処理の具体的例としては、酸処理、アルカリ処理、紫外線照射処理、アルゴンまたは酸素雰囲気中での高周波放電によるプラズマ処理、アルゴンや、酸素、窒素などのイオンビーム照射処理などが挙げられる。
【００２１】
次に、本発明の実施形態について図面を参照して説明する。
【００２２】
＜第１の実施形態＞
図３は、本発明の第１の実施形態に係る電子機器を説明するための分解断面図である。この図に示されるように、本実施形態に係る電子機器にあっては、液晶パネル１０が剛体のカバー１によって保護されている。この液晶パネル１０は、液晶セル２０の上側に位相差フィルム１２、偏光板１１がこの順に設けられ、一方、液晶セル２０の下側に偏光板１６、半透過反射板１７がこの順に設けられて構成されている。さらに光源７０が液晶パネル１０の下側に設けられている。
【００２３】
ここで、液晶セル２０は、２枚のガラス基板２１、２２がシール部材２３によって一定の間隙を保って貼付され、この間隙内にＳＴＮ(Super Twisted Nematic)液晶２６が封入された構成となっている。また、ガラス基板２１の下面（液晶側の面）には透明電極２４が設けられる一方、ガラス基板２２の上面（液晶側の面）には透明電極２５が設けられている。なお、透明電極２４、２５としては、ＩＴＯ（Indium Tin Oxide）や酸化錫等が用いられる。
【００２４】
このような構成の液晶パネル１０において、カバー１からの入射光が十分に強い場合、光源７０を非点灯にさせて反射型として用いられる。この反射型では、カバー１からの入射光は、偏光板１１、位相差フィルム１２、液晶セル２０、偏光板１６を順に通過し、半透過反射板１７によって反射されて、今来た経路を逆に辿ってカバー１から出射される。この際、透明電極２４、２５に印加される電圧に応じてＳＴＮ(Super Twisted Nematic)液晶２６の配向状態が変化し、この結果、偏光板１１からの出射光量が制御される。
【００２５】
一方、このような構成の液晶パネル１０において、カバー１からの入射光が弱い場合、光源７０を点灯させて透過型として用いられる。この透過型では、光源７０からの光は、半透過反射板１７、偏光板１６、液晶セル２０、位相差フィルム１２、偏光板１１を順に通過して、カバー１から出射される。この際、透明電極２４、２５に印加される電圧に応じてＳＴＮ(Super Twisted Nematic)液晶２６の配向状態が変化し、この結果、偏光板１１からの出射光量が制御される。
【００２６】
したがって、本実施形態の液晶パネル１０では、反射型も透過型も可能な、いわゆる半透過反射型の白黒表示が可能である。
【００２７】
さて、本実施形態における剛体のカバー１は、上述したように、液晶パネル１０の保護を目的として、液晶パネル１０の表示面側の上部に、液晶パネル１０の表示面の表示部全体を覆うように設けられるものである。さらにこのカバー１はプラスチックを基材として、必要に応じてハードコート処理されて、その表面に、反射防止膜（図示せず）が形成されたものである。なお、反射防止膜は、望ましくは、カバー１の両面に形成されるのが望ましいが、いずれか一方の面に形成しても良い。
【００２８】
ところで、本実施形態の液晶パネル１０は、電圧無印加状態において白表示を行うノーマリーホワイトモードのものである。
【００２９】
ここで、本実施形態の液晶パネル１０において反射型として用いた場合を考える。本実施形態で用いた液晶パネル１０の白表示の際の分光（反射）特性は図４に示すようになる。この図４に示されるように、本実施形態の液晶パネル１０の反射率は、波長λが550（nm）近傍で高くなる。従って、カバー１を設けていない状態で、白表示を行う際は緑色がかなり強くなることがわかる。
【００３０】
そこで、本実施形態においては、液晶バネル１０の上部にカバー１が設けられた状態で白表示の調整を行なった。ここで、白表示の調整を行うための具体的な手段として、カバー１に設けられた反射防止膜（図示せず）の膜厚を調整を行った。詳細には、下記の表１に示したように、図３のカバー１の上側（液晶パネル側とは反対側）からカバー１へ入射する光の波長をλとし、液晶パネル１０の反射率をＲ（λ）としたときに、反射防止膜の膜厚を変化させて、カバー１の透過率Ｔ（λ）の調整を行った。
【００３１】
【表１】
0003870632.tif 000002
ここで、本実施形態の液晶パネルで反射型として用いた場合に、波長λの入射光は、カバー１を通過した後、液晶パネル１０の半透過反射板１７で反射して、再びカバー１を通過して出射する。つまり、上述の経路を通過するときのカバー１と液晶パネル１０を合わせた透過率は｛Ｔ2（λ）×Ｒ（λ）｝となる。即ち、｛Ｔ2（λ）×Ｒ（λ）｝は、反射型の入射光量に対する出射光量の比を意味するので、カバー１からの出射光量は、カバー１への入射光量に透過率｛Ｔ2（λ）×Ｒ（λ）｝を掛けたものになる。
【００３２】
ところで、液晶パネル１０の白表示の際に色が混色するのを抑えるためには、視認者の視感度が最も高くなる範囲の波長（500nm〜600nm）から任意の波長φを選択し、そのときの出射光量を基準として各波長における出射光量の設定を行うと、視認者にとって表示が見やすいものとなる。
【００３３】
したがって、表１に示されるように、本実施形態では波長λに対する反射型の入射光量に対する出射光量の比を、波長φにおける入射光量に対する出射光量の比で、正規化（基準化）した値{Ｔ2（λ）×Ｒ（λ）}／{Ｔ2（φ）×Ｒ（φ）}を求めた。即ち、この値は波長φでの出射光量を基準としたときの各波長における出射光量の相対値を意味する。ここで、次式の関係式が成り立つことがわかる。
【００３４】
【数１】
0003870632.tif 000003
ただし、(1)式において、450nm≦λ≦650nmである。
【００３５】
本実施形態では、波長φを550nmとして、この値を各波長λの光に対して求めた。表１に示されるように、｛Ｔ2（λ）×Ｒ（λ）｝の値は、入射光の波長λが580nmでの値をピークとして、波長λが450nmあるいは650nmに近づくに従って徐々に小さな値になる。従って、カバー１の透過率Ｔ（λ）を(1)式の関係を満足するように設定した場合には、カバー１からの出射光量は入射光の波長λによらずほぼ一様であることがわかる。実際、カバー１を透して液晶パネル1０を見た場合の白表示は、緑白から白になってかなり見やすくなった。
【００３６】
さらに、比較のために反射防止膜の膜厚を変化させて、カバー１の入射光の波長λに対する透過率Ｔ（λ）を下記の表２に示される値に変更した場合を考えてみる。
【００３７】
【表２】
0003870632.tif 000004
この表２に示されるように、{Ｔ2（λ）×Ｒ（λ）}／{ Ｔ2（550nm）×Ｒ（550nm）｝の値を、各波長λの光に対して求めてみると、上記(1)式を満たさないことがわかる。表２の反射型の入射光量に対する出射光量の比｛Ｔ2（λ）×Ｒ（λ）｝の値からわかるように、カバー１からの出射光量は、入射光の波長λによって大きく異なる値を示す。特に、表２に示されるように、波長λが450nm及び650nmにおける{Ｔ2（λ）×Ｒ（λ）}の値と、波長λが550nm〜590nmにおけるその値とを比較すると著しく異なっている。従って、波長λによって出射光量が著しく異なることがわかる。実際、カバー１を透して液晶パネル１０を見たときの白表示は、緑白から更に緑色を強めたものとなって、見にくいものであった。
【００３８】
＜第２の実施形態＞
次に、本発明の第２の実施形態に係る電子機器について説明する。図５は、この電子機器を説明するための分解断面図である。
【００３９】
この図に示されるように、本実施形態の電子機器における液晶パネル１０は、カバー１によって保護されている点において、上述した第１の実施形態と共通である。ただし、液晶パネル１０は、液晶セル１２０の上側に、前方散乱機能をもった拡散粘着層１１４、第１の位相差フィルム１１３、第２の位相差フィルム１１２および偏光板１１１がこの順に設けられ、一方、液晶セル１２０の下側には、λ／４位相差フィルム１１５、偏光板１１６、この順に設けられて構成される点において上述した第１の実施形態と相違している。さらに光源１７０が液晶パネル１０の下側に設けられている。
【００４０】
また、液晶セル１２０は、２枚のガラス基板１２１、１２２がシール部材１２３によって一定の間隙を保って貼付され、この間隙内にＳＴＮ(Super Twisted Nematic)液晶１２６が封入されるとともに、ガラス基板１２１の下面（液晶側の面）には透明電極１２４が設けられる。一方、ガラス基板１２２の上面（液晶側の面）には透明電極１２５が設けられて、ドットマトリックスを形成している点において、上述した第１の実施形態と共通である。
【００４１】
ただし、この第２実施形態において、液晶セル１２０は、赤・緑・青のカラーフィルタ１２７が、透明電極１２４とガラス基板１２１との間において、透明電極１２５の電極パターンと対向して形成される一方、スリット状の開口部を有するアルミ蒸着層１２８が、ガラス基板１２２の上面であって透明電極１２５の下面においてライン状に形成されている。これによって、アルミ蒸着層１２８は、ガラス基板１２１側からの光を反射する一方、光源１７０からの光を透過する半透過反射層として機能することになる。なお、透明電極１２４、１２５としては、第１の実施形態における透明電極２４、２５と同様に、ＩＴＯや酸化錫等が用いられる。
【００４２】
また、この液晶パネル１０では、ＳＴＮ(Super Twisted Nematic)液晶１２６に対する電圧印加・無印加に応じて、アルミ蒸着層１２８での光偏光状態が変化し、第１の位相差フィルム１１３および第２の位相差フィルム１１２によって、円偏光状態と直線偏光状態とが得られるように設定されている。また、λ／４位相差フィルム１１５は光源１７０からの光を円偏光に変換している。
【００４３】
このような構成の液晶パネル１０において、カバー１からの入射光が十分に強い場合、光源１７０を非点灯にさせて反射型として用いられる。この反射型では、カバー１からの入射光が、偏光板１１１、第２の位相差フィルム１１２、第１の位相差フィルム１１３、拡散粘着層１１４、カラーフィルタ１２７を順に通過し、アルミ蒸着層１２８によって反射されて、今来た経路を逆に辿ってカバー１から出射される。この際、透明電極１２４、１２５に印加される電圧に応じてＳＴＮ液晶１２６の配向状態が変化し、この結果、偏光板１１１からの出射光量が制御される。
【００４４】
一方、このような構成の液晶パネル１０において、カバー１からの入射光が弱い場合、光源１７０を点灯させて透過型として用いられる。この透過型では、光源１７０からの光が、偏光板１１６、λ／４位相差フィルム１１５、アルミ蒸着層１２８、カラーフィルタ１２７、拡散粘着層１１４、第１の位相差フィルム１１３、第２の位相差フィルム１１２、偏光板１１１を順に通過して、カバー１から出射される。この際、透明電極１２４、１２５に印加される電圧に応じてＳＴＮ(Super Twisted Nematic)液晶１２６の配向状態が変化し、この結果、偏光板１１１からの出射光量が制御される。
【００４５】
したがって、本実施形態の液晶パネル１０では、反射型も透過型も可能な、いわゆる半透過反射型のカラー表示が可能である。
【００４６】
ところで、本実施形態の液晶パネル１０は、電圧無印加状態において黒表示を行うノーマリーブラックモードのものである。ここで、赤・緑・青のサブ画素をオンさせて、全ての色のカラーフィルタ１２７を通過させれば、白色表示となる。
【００４７】
ここで、本実施形態の液晶パネル１０において反射型として用いた場合を考える。本実施形態の液晶パネル１０の白表示の際における分光（反射）特性を図６に示す。この図６に示されるように、本実施形態の液晶パネル１０の反射率は、各波長λの光に対してフラットな特性にはなっていないので、良好な白色特性にはなっていない。
【００４８】
そこで、本実施形態の液晶パネル１０にあっては、液晶パネル１０の表示面側の上部に、液晶パネル１０の表示面の表示部全体を覆うように、プラスチック基材の表面に反射防止膜（図示せず）が形成されたカバー１が設けられる。具体的には、プラズマ処理（アルゴンプラズマ400W×60秒）された後、基材から大気（外側）にむかって順に、材料（光学膜厚）が SiO2（0.08λ）、ZrO2（0.13λ）、SiO2（0.06λ）、ZrO2（0.25λ）、SiO2（0.25λ）の計５層からなる反射防止多層膜が、真空蒸着法にて、成膜温度60℃の条件で膜形成されている。ここで、屈折率が互いに隣接する層相互間で異なっている。なお、設計波長λは520nmとした。これらの複数の膜の膜厚をそれぞれ設定することにより、カバー１の透過率の分光特性を設定し、カバー１が上部に設けられた液晶パネル１０の白表示を調整した。詳細には、下記の表に示すように、カバー１への入射光の波長をλとし、液晶パネル１０の反射率をＲ（λ）としたときに、反射防止膜の膜厚を変化させて、カバー１の透過率Ｔ（λ）の設定を行った。
【００４９】
【表３】
0003870632.tif 000005
なお、この表に示されるように、{Ｔ2（λ）×Ｒ（λ）}／{ Ｔ2（550nm）×Ｒ（550nm）｝の値を、各波長λの光に対して求めて見ると、波長φを550nmとしたときの上記(1)式を満たしていることがわかる。したがって、(1)式の関係を満足するカバー１の透過率Ｔ（λ）を設定した場合には、表３の反射型の入射光量に対する出射光量の比｛Ｔ2（λ）×Ｒ（λ）｝の値からわかるように、液晶表示装置の出射光量は入射光の波長λによらずほぼ一様になる。実際に液晶パネル１０の表示面を、このように透過率Ｔ（λ）が設定されたカバー１で透かして見てみると、液晶表示装置の白表示は、液晶パネル１０のみのときと比較して、さらに白くなり見やすくなった。したがって、本実施形態においても、視認性の良い白表示とするためには、(1)式を満たすことが必要であることがわかる。
【００５０】
＜携帯電話の構成＞
さらに、本発明の電子機器として、液晶パネル１０を、携帯電話に適用した例について説明する。図７は、この携帯電話の構成を示す斜視図である。図７において、携帯電話２００は、複数の操作ボタン２０１のほか、受話口２０２、送話口２０３と共に、保護カバー１が表示面の上部に設けられた液晶パネル１０を備えるものである。なお、本実施形態では携帯電話の例を示したが、これに限られることなく、前述したカバー１及び液晶パネル１０が組み込まれる電子機器としては、図７を参照して説明した携帯電話の他、ポケットベル、ＰＨＳ、携帯用電子メール送受信器などの携帯情報端末、時計、携帯用液晶テレビ、車載用モニタ、ノート型パソコン、電子手帳、電卓、テレビ電話、ＰＯＳ端末などが挙げられる。
【００５１】
なお、本発明の電子機器に用いた液晶パネル１０の保護カバー１は、液晶パネル１０とカバー１を有してなり、液晶パネル１０にカバー１が設けられる構成とした液晶表示装置とすることも可能である。このような構成を有する液晶表示装置は、本実施形態の電子機器と同様の効果を得られることは言うまでもない。
【００５２】
【発明の効果】
以上説明したように本発明によれば、液晶パネルの表示面を保護するために設けられたカバーの少なくとも一方の面に表面反射を防止するための反射防止膜が設けられているので、カバーでの表面反射が減り、透過率が高くなる結果、反射型の液晶パネルでも明るく視認性の良い表示が得られることになる。
【図面の簡単な説明】
【図１】  本発明の第１の実施形態に係る電子機器の要部構造を説明するための図である。
【図２】  本発明の電子機器において表面反射を防ぐための原理を説明するための図である。
【図３】  本発明の第１の実施形態に係る電子機器を説明するための分解断面図である。
【図４】  本発明の第１の実施形態に係る電子機器の液晶パネルにおける白表示の際の分光（反射）特性を示す図である。
【図５】  本発明の第２の実施形態に係る電子機器を説明するための分解断面図である。
【図６】  本発明の第２の実施形態に係る電子機器の液晶パネルにおける白表示の際の分光（反射）特性を示す図である。
【図７】  カバー及び液晶パネルを適用した携帯電話の構成を例示する斜視図である。
【符号の説明】
１…カバー
２、 ３…薄膜
５…入射光
６、７…反射光
１０…液晶パネル
１１、１６、１１１、１１６…偏光板
１２…位相差フィルム
１７…半透過反射板
２０、１２０…液晶セル
２１、２２、１２１、１２２…ガラス基板
２６、 １２６…ＳＴＮ液晶
７０、１７０…光源
１２７…カラーフィルタ
１２８…アルミ蒸着層
１１２…第２の位相差フィルム
１１３…第１の位相差フィルム
１１４…拡散粘着層
１１５…λ／４位相差フィルム
２００…携帯電話
２０１…操作ボタン
２０２…受話口
２０３…送話口
【図１】
0003870632.tif 000006
【図２】
0003870632.tif 000007
【図３】
0003870632.tif 000008
【図４】
0003870632.tif 000009
【図５】
0003870632.tif 000010
【図６】
0003870632.tif 000011
【図７】
0003870632.tif 000012